(57)【要約】  【課題】開閉しなくても見出しシートの挿脱ができ、棚に並べたときに背表紙及び表裏両表紙が完全に隠れてしまうという不具合を解消でき、しかも、見出しシートの位置ずれが好適に抑制されるファイルを提供する。  【解決手段】ファイルを、表裏の表紙間に配された背表紙と、この背表紙の内面側に配された綴じ具と、偏平な頭部を前記背表紙の外面側に表出させた状態で前記綴じ具を該背表紙に止着する取付具と、前記背表紙の外面側に設けられ見出しシートを挿入可能な背ポケットとを備えてなるものとし、前記背ポケットが、前記取付具の頭部を覆う状態で前記背表紙の外面に添設されたポケット用フィルムを有し、このポケット用フィルムの少なくとも左右両側縁部を前記背表紙の外面に溶着したものとした。【選択図】図１
2017100373.tif 000002
【特許請求の範囲】
【請求項１】
表裏の表紙間に配された背表紙と、この背表紙の内面側に配された綴じ具と、偏平な頭部を前記背表紙の外面側に表出させた状態で前記綴じ具を該背表紙に止着する取付具と、前記背表紙の外面側に設けられ見出しシートを挿入可能な背ポケットとを備えてなり、
前記背ポケットが、前記取付具の頭部を覆う状態で前記背表紙の外面に添設されたポケット用フィルムを有し、このポケット用フィルムの少なくとも左右両側縁部を前記背表紙の外面に溶着したものであるファイル。
【請求項２】
前記背ポケットが、全体が透明なポケット用フィルムを備えたものであり、この背ポケット内に挿入された見出しシートにより前記取付具の頭部を隠蔽し得るように構成されている請求項１記載のファイル。
【請求項３】
前記ポケット用フィルムが、前記背表紙よりも輪郭の小さな四角形状のものであり、その上縁中央部及び下縁中央部の少なくとも一方に前記見出しシートの挿脱を容易にするための切欠部を備えたものである請求項１又は２記載のフィルム。
【請求項４】
前記ポケット用フィルムが、その両側縁部及び前記下縁部の一部を前記背表紙の外面に溶着したものである請求項１、２又は３記載のフィルム。
【請求項５】
前記綴じ具が、前記取付具を用いて前記背表紙の内面に止着された盤状のベースと、このベースの左右両側部に蝶着された左右対をなす押さえ板と、これら押さえ板の一方に突設された綴じチューブ及び他方に突設され前記綴じチューブ内に嵌合する綴じ桿とを具備してなり、前記両押さえ板をそれぞれ前記ベースから取り外すことができるようにしたものである請求項１、２、３又は４記載のファイル。
【請求項６】
前記取付具の頭部が、周縁を大きな段差を伴うことなしに、前記背表紙の外面に略連続させた偏平形状をなすものである請求項１、２、３、４又は５記載のファイル。
【発明の詳細な説明】
【技術分野】
【０００１】
本発明は、背表紙の背面側に見出しシート等を保持させておくための背ポケットを備えたファイルに関する。
【背景技術】
【０００２】
従来、この種のファイルとしては、例えば、特許文献１に示されるように、表裏の表紙間に背表紙を備え、その背表紙の外面側に背ポケットを有したものが知られている。
【０００３】
かかるファイルの背ポケットは、前記背表紙の全体を覆い、左右両側部が表表紙、及び、裏表紙の基端部外面にまで延出するフィルムを有しており、そのフィルムの左右両側縁部を前記表表紙、及び、前記裏表紙に溶着した構造をなしているのが一般的である。
【０００４】
しかして、このような構成のものは、表裏両表紙を閉じた状態で前記背ポケットのフィルムが前記背表紙、及び、前記表裏両表紙の基端部に密着するようになっており、表裏両表紙を開くと前記各表紙とフィルムとの密着が若干緩むことになる。従来のものは、この開成状態での緩みを利用して見出しシートを挿脱するようになっているが、このままでは小さな見出しシートを用いた場合、表紙を開閉する動作に伴って見出しシートの位置ずれや抜け落ちが懸念されることになる。そのため、この種のファイルでは、両側縁部が表表紙、及び、裏表紙の基端部外面にまで回り込み、前記背表紙を覆い隠すような大きな見出しシートが用いられているのが一般的である。
【０００５】
ところが、このような見出しシートを用いたものは、棚に配列させた場合に、表裏両表紙のみならず背表紙も隠れてしまう。そのため、表紙の色彩を利用してカラー分類をすることができない。近時、色彩の豊かな合成樹脂等により表紙を成型することが可能になっているが、オフィス等のインテリアとしてカラーコーディネートすることが可能な表紙を備えたファイルが種々存在しているにもかかわらず、その資質を有効に利用することができないというもどかしさがある。
【０００６】
また、かかる従来のファイルは、棚から取り出して表紙を開かないと見出しシートの挿脱が難しいという不便さもあり、さらに、頻繁に表紙を開閉して使用すると、表裏両表紙と背表紙との境界付近に位置する見出しシートの側縁部が変形したり折れ曲がったりするという不具合が発生することも否定できない。
【先行技術文献】
【特許文献】
【０００７】
【特許文献１】特開２００４−１７５０４５号公報
【発明の概要】
【発明が解決しようとする課題】
【０００８】
本発明は、以上のような事情に着目してなされたものであり、開閉しなくても見出しシートの挿脱ができ、棚に並べたときに背表紙、及び、表裏両表紙が完全に隠れてしまうという不具合を解消でき、しかも、見出しシートの位置ずれが好適に抑制されるファイルを提供することを目的とする。
【課題を解決するための手段】
【０００９】
すなわち、本発明は次の構成をなしている。
【００１０】
請求項１に記載の発明は、表裏の表紙間に配された背表紙と、この背表紙の内面側に配された綴じ具と、偏平な頭部を前記背表紙の外面側に表出させた状態で前記綴じ具を該背表紙に止着する取付具と、前記背表紙の外面側に設けられ見出しシートを挿入可能な背ポケットとを備えてなり、前記背ポケットが、前記取付具の頭部を覆う状態で前記背表紙の外面に添設されたポケット用フィルムを有し、このポケット用フィルムの少なくとも左右両側縁部を前記背表紙の外面に溶着したものであるファイルである。
【００１１】
請求項２に記載の発明は、前記背ポケットが、全体が透明なポケット用フィルムを備えたものであり、この背ポケット内に挿入された見出しシートにより前記取付具の頭部を隠蔽し得るように構成されている請求項１記載のファイルである。
【００１２】
請求項３に記載の発明は、前記ポケット用フィルムが、前記背表紙よりも輪郭の小さな四角形状のものであり、その上縁中央部及び下縁中央部の少なくとも一方に前記見出しシートの挿脱を容易にするための切欠部を備えたものである請求項１又は２記載のフィルムである。
【００１３】
請求項４に記載の発明は、前記ポケット用フィルムが、その両側縁部及び前記下縁部の一部を前記背表紙の外面に溶着したものである請求項１、２又は３記載のフィルムである。
【００１４】
請求項５に記載の発明は、前記綴じ具が、前記取付具を用いて前記背表紙の内面に止着された盤状のベースと、このベースの左右両側部に蝶着された左右対をなす押さえ板と、これら押さえ板の一方に突設された綴じチューブ及び他方に突設され前記綴じチューブ内に嵌合する綴じ桿とを具備してなり、前記両押さえ板をそれぞれ前記ベースから取り外すことができるようにしたものである請求項１、２、３又は４記載のファイルである。
【００１５】
請求項６に記載の発明は、前記取付具の頭部が、周縁を大きな段差を伴うことなしに、前記背表紙の外面に略連続させた偏平形状をなすものである請求項１、２、３、４又は５記載のファイルである。
【発明の効果】
【００１６】
以上説明したように本発明によれば、開閉しなくても見出しシートの挿脱ができ、棚に並べたときに背表紙、及び、表裏両表紙が完全に隠れてしまうという不具合を解消でき、しかも、見出しシートの位置ずれが好適に抑制されるファイルを提供することができるものとなる。
【図面の簡単な説明】
【００１７】
【図１】本発明の一実施形態を示す斜視図。
【図２】同実施形態における綴じ具を説明するため斜視図。
【図３】同実施形態を示す正面図。
【図４】図３における模式的な一部省略のＸ−Ｘ線概略断面図。
【図５】図３における模式的な一部省略のＹ−Ｙ線概略断面図。
【図６】同実施形態における分解斜視図。
【図７】他の実施形態を示す正面図。
【発明を実施するための形態】
【００１８】
以下、本発明の一実施形態を、図１〜６を参照して説明する。
【００１９】
この実施形態は、本発明を、いわゆるチューブ式のファイルＡに適用したものである。
【００２０】
ファイルＡは、表表紙１と、裏表紙２と、表裏の表紙１、２間に配された背表紙３と、この背表紙３の内面側に配された綴じ具４と、偏平な頭部５１を背表紙３の外面側に表出させた状態で綴じ具４を該背表紙３に止着する取付具であるリベット５と、背表紙３の外面側に設けられ見出しシート７を挿入可能な背ポケット６とを備えてなる。そして、背ポケット６が、リベット５の頭部５１を覆う状態で背表紙３の外面に添設されたポケット用フィルムＦを有している。このポケット用フィルムＦの少なくとも左右両側縁部ｆ１は、背表紙３の外面に溶着されている。以下、このファイルＡについて詳述する。
【００２１】
表表紙１、裏表紙２、及び、背表紙３は、ヒンジ部Ｈを介して一体的に接続された通常のものである。表表紙１、及び、裏表紙２は、背表紙３に対して開閉動作させることができるようになっている。これら表表紙１、裏表紙２、及び、背表紙３は、芯材の表面を合成樹脂製の外装材で被覆してなるものである。表表紙１、裏表紙２、及び、背表紙３の外装材は、種々の色彩を適用することができるようになっている。
【００２２】
綴じ具４は、リベット５を用いて背表紙３の内面に止着された盤状のベースＢと、このベースＢの左右両側部に蝶着された左右対をなす押さえ板Ｃと、これら押さえ板Ｃの一方に突設された綴じチューブＤ、及び、他方に突設され前記綴じチューブＤ内に嵌合する綴じ桿Ｅとを具備してなり、前記両押さえ板ＣをそれぞれベースＢから取り外すことができるように構成されている。ベースＢは、扁平形状をなすもので上下両側縁に取付鍔ｂ１を備えている。取付鍔ｂ１は、四つのリベット５によって背表紙３に止着されている。なお、この綴じ具４において、その他の部分については、通常の構成のものであるため説明を省略する。
【００２３】
リベット５は、その頭部５１が、周縁を大きな段差を伴うことなしに、背表紙３の外面に連続させた偏平な形状をなしている。リベット５は、その頭部５１から延出させた軸部５２を、背表紙３、及び、取付鍔ｂ１に貫通させている。そして、軸部５２の貫通端をかしめることにより、綴じ具４を背表紙３の内面に止着している。
【００２４】
背ポケット６は、全体が透明なポケット用フィルムＦを備えたものであり、この背ポケット６内に挿入された見出しシート７によりリベット５の頭部５１を隠蔽し得るように構成されている。ポケット用フィルムＦは、背表紙３よりも輪郭の小さな四角形状のものであり、その上縁中央部に見出しシート７の挿脱を容易にするための切欠部たる上の切欠部ｆ２を備えているとともに下縁中央部に見出しシート７の挿脱を容易にするための切欠部たる下の切欠部ｆ３を備えている。ポケット用フィルムＦは、その両側縁部ｆ１、及び、下縁部ｆ４の一部が背表紙３の外面に溶着されている。
【００２５】
このポケット用フィルムＦの左右幅寸法ｗ１、及び、上下高さ寸法ｗ２は、背表紙３の左右幅寸法ｗ３、及び、上下高さ寸法ｗ４よりも小さな値に設定されている。そして、ポケット用フィルムＦにより構成された背ポケット６の周縁には、背表紙３が視認可能に表出した状態になっている。
【００２６】
すなわち、このファイルＡは、背表紙３における背ポケット６の左右両側の外面と、背表紙３における背ポケット６の上下の外面が、背ポケット６のポケット用フィルムＦにより被覆されることなく外部に露出した態様をなしている。換言すれば、背ポケット６の周囲は、背表紙３の露出した外面部分によって囲繞された状態になっている。
【００２７】
ポケット用フィルムＦの溶着手順は次の通りである。
【００２８】
まず、綴じ具４のベースＢのみを残した背表紙３の内面を、図示しない裏当て用の治具に支持させる。次いで、ポケット用フィルムＦを背表紙３の外面における所定の位置に添接させる。しかる後に、ポケット用フィルムＦの両側縁部ｆ１、及び、下縁部ｆ４における下の切欠部ｆ３の両側に位置する部分に、図示しない溶着用の押し型を押し付けて、ポケット用フィルムＦを背表紙３の外装材に止着する。
【００２９】
見出しシート７は、例えば、紙により作られた短冊状のもので、上方から背ポケット６内に挿入される。見出しシート７の寸法は、ポケット用フィルムＦの溶着されていない領域に略対応する値に設定されている。見出しシート７を背ポケット６に装着することにより、リベット５の頭部５１は不透明な見出しシート７によって完全に隠蔽されるようになっている。
【００３０】
背ポケット６は、ポケット用フィルムＦの内面が背表紙３の外面に略添接するような構造になっているが、見出しシート７は、ポケット用フィルムＦと背表紙３の間に割り込むような態様で挿入される。そのため、リベット５が存在する部位においては、図４、及び、図５に模式的に示すように、リベット５の頭部５１により見出しシート７が若干波打つような形態となり、ポケット用フィルムＦの内面に比較的強く押し付けられる状態となる。
【００３１】
以上詳述したように、本実施形態におけるファイルＡは、表裏の表紙１、２間に配された背表紙３と、この背表紙３の内面側に配された綴じ具４と、偏平な頭部５１を前記背表紙３の外面側に表出させた状態で前記綴じ具４を該背表紙３に止着するリベット５と、前記背表紙３の外面側に設けられ見出しシート７を挿入可能な背ポケット６とを備えている。そして、前記背ポケット６が、前記リベット５の頭部５１を覆う状態で前記背表紙３の外面に添設されたポケット用フィルムＦを有し、このポケット用フィルムＦの少なくとも左右両側縁部ｆ１を前記背表紙３の外面に溶着したものである。
【００３２】
このような構成のものであれば、背ポケット６が、背表紙３にのみに関連させて設けられたものとなるため、表裏の表紙１、２が開いた状態にあるかどうかに関わらず、背ポケット６に対して見出しシート７を容易に挿脱することができるものとなる。
【００３３】
また、背ポケット６の周囲に、背表紙３が視認可能に表出することになる。このため、オフィス等において、棚に同一形状をなす複数のファイルＡを並べて収納するような場合には、背表紙３に適用された色彩の違いを効果的に利用することができるものとなる。例えば、背表紙３における色彩の違いによって、書類の分類を行うようにしたり、オフィス内におけるカラーコーディネートの一役を発揮したりすることが可能となる。
【００３４】
さらに、綴じ具４を取り付けるためのリベット５の頭部５１を背ポケット６のポケット用フィルムＦにより覆っているため、見出しシート７を装着した場合にそのリベット５の頭部５１の存在により見出しシート７が部分的にポケット用フィルムＦの内面側に押し付けられることになり、見出しシート７の位置ずれを効果的に抑制することができるものとなる。
【００３５】
背ポケット６が、全体が透明なポケット用フィルムＦを備えたものであり、この背ポケット６内に挿入された見出しシート７によりリベット５の頭部５１を隠蔽し得るように構成されている。このため、綴じ具４を背表紙３に取り付けるためのリベット５の頭部５１が、外観を損ねてしまうのを好適に防止することができるようになっている。
【００３６】
ポケット用フィルムＦが、背表紙３よりも輪郭の小さな四角形状のものであり、その上縁中央部、及び、下縁中央部に見出しシート７の挿脱を容易にするための切欠部たる上の切欠部ｆ２、及び、下の切欠部ｆ３を備えている。このため、背ポケット６から、見出しシート７を出し入れし易いものとなっている。
【００３７】
ポケット用フィルムＦが、その両側縁部ｆ１、及び、下縁部ｆ４の一部を背表紙３の外面に溶着したものである。このため、ポケットフィルムＦが、背表紙３に対して好適に止着されたものとなっている。
【００３８】
綴じ具４が、リベット５を用いて背表紙３の内面に止着された盤状のベースＢと、このベースＢの左右両側部に蝶着された左右対をなす押さえ板Ｃと、これら押さえ板Ｃの一方に突設された綴じチューブＤ、及び、他方に突設され綴じチューブＤ内に嵌合する綴じ桿Ｅとを具備してなり、両押さえ板ＣをそれぞれベースＢから取り外すことができるようなっている。このため、押さえ板ＣがベースＢから取り外された態様で、背表紙３に対してポケット用フィルムＦを溶着することができるものとなっている。
【００３９】
リベット５の頭部５１が、周縁を大きな段差を伴うことなしに、前記背表紙３の外面に略連続させた偏平形状をなすものである。このため、背ポケット５内に見出しシート７を挿入する際に、リベット５の頭部５１が干渉しにくいものとなっている。
【００４０】
この実施形態では、背ポケット６における見出しシート挿入口６１から離れた位置に、リベット５の頭部５１が複数配置されている。このため、初期段階では、リベット５の存在に影響を受けることなしに見出しシート７を背ポケット６に挿入することができる。そして、見出しシート７をリベット５の頭部５１上を通過させて正規の位置まで押し込んだ状態では、リベット５の頭部５１がポケット用フィルムＦと協働して見出しシート７の位置ずれを抑制し得るものなっている。
【００４１】
なお、本発明は、以上に詳述した実施形態に限られるものではない。
【００４２】
背ポケットの形状は、表裏の表紙、及び、背表紙の少なくとも一部が視認可能なものであれば、どのような形状のものであってもよい。
【００４３】
例えば、図７に示すように、背ポケット６を構成するポケット用フィルムＦは、上の切欠部ｆ２だけを設けたものとしてもよいのはもちろんのことである。また、ポケット用フィルムは、下の切欠部だけを設けたものとしてもよいのはもちろんのことである。しかしながら、ポケット用フィルムに上の切欠部と下の切欠部とが設けられているものであれば、見出しシートの抜き差しの作業が行いやすいものとなる。
【００４４】
取付具は、リベットに限られるものではなく、綴じ具を背表紙に取り付けるものであれば、どのようなものであってもよい。取付具としては、例えば、ねじ等を挙げることができる。
【００４５】
綴じ具と取付具とは、上述した実施形態に示すような別体のものに限られるものではなく、綴じ具と取付具とが一体的に構成されたものであってもよいのはもちろんのことである。
【００４６】
ポケット用フィルムは、全体が透明でなくてもよく、例えば、一部に不透明部分を有し、その不透明部分により取付具を隠蔽するようなものであってもよい。また、ポケット用フィルムは無色透明のものには限られず、有色透明のものであってもよいし、半透明のものであってもよい。
【００４７】
ポケット用フィルムは、中間部分に孔が設けられたものであってもよい。
てもよい。
【００４８】
その他、各部の具体的構成についても上記実施形態に限られるものではなく、本発明の趣旨を逸脱しない範囲で種々変形が可能である。
【符号の説明】
【００４９】
１…表表紙
２…裏表紙
３…背表紙
４…綴じ具
５…取付具（リベット）
６…背ポケット
７…見出しシート
Ａ…ファイル
【図１】
2017100373.tif 000003
【図２】
2017100373.tif 000004
【図３】
2017100373.tif 000005
【図４】
2017100373.tif 000006
【図５】
2017100373.tif 000007
【図６】
2017100373.tif 000008
【図７】
2017100373.tif 000009